【事件の表示】
　特願２００７−１３２１５２号「洗濯装置の制御装置，及び衣類のクリーニングシステム」拒絶査定不服審判事件〔平成２０年１１月２７日出願公開，特開２００８−２８７５２５号〕について，次のとおり審決する。
【結　論】
　本件審判の請求は，成り立たない。
【理　由】
１．本願の経緯
　
　本件出願（以下「本願」という。）は，平成１９年５月１７日の出願であって，平成１９年９月６日付け（発送日：同年９月１１日）で拒絶査定がなされ，これに対し，同年１０月９日付けで拒絶査定不服審判の請求がなされたものである。
　
２．本願発明
　
　本願の請求項１に係る発明は，平成１９年８月２１日付け手続補正書の特許請求の範囲の請求項１に記載された事項により特定される，次のとおりのものである（以下「本願発明」という。）。
　
　「衣類の販売店で顧客が購入した衣類を洗濯装置により洗濯するクリーニング工場に設置された上記洗濯装置の制御装置であって、
　上記販売店で販売される衣類を製造した製造業者によって作成された、当該衣類を識別するための識別情報が関連付けられた当該衣類に関する情報を入力する入力手段と、
　上記入力された衣類の識別情報及び衣類に関する情報を記憶する記憶手段と、
　上記クリーニング工場へ搬入された顧客の衣類に付着されている表示タグから当該衣類の識別情報を取得する取得手段と、
　上記取得された識別情報に対応する衣類に関する情報を上記記憶手段から読み出して、少なくとも当該衣類に関する情報に基づいて衣類の洗濯条件を示す洗濯情報を生成する生成手段と、
　上記生成された洗濯情報を上記洗濯装置を制御すべく当該洗濯装置へ出力する出力手段と、を備え、
　上記衣類に関する情報は、当該衣類の染色に使用された染料を示す情報、及び当該衣類の各部の寸法を示す情報の少なくとも一方を含むものである洗濯装置の制御装置。」
　
３．引用文献の記載事項
　
　これに対して，原査定の拒絶の理由に引用された，本願の出願前に頒布された刊行物である，特開２００６−５１３３８号公報（以下「引用文献」という。）には，図面とともに，次の事項が記載されている。
　
ａ．「被洗濯物特定手段が、被洗濯物に付設されたＩＣタグから当該被洗濯物を特定する被洗濯物特定情報を得る第１のステップと、洗浄方法決定手段が、上記被洗濯物特定情報に基づいて少なくとも被洗濯物を構成する生地の種類を含む被洗濯物詳細情報を取得すると共に、予め用意された複数の被洗濯物洗浄方法のうち当該被洗濯物詳細情報に対応する最適の被洗濯物洗浄方法を決定し且つ当該最適の被洗濯物洗浄方法に関する情報を上記被洗濯物洗浄方法を実行する洗浄手段へ送信する第２のステップと、上記洗浄手段が、上記最適の被洗濯物洗浄方法に関する情報に基づいて当該最適の被洗濯物洗浄方法を実行する第３のステップとを備える洗濯方法。」（【特許請求の範囲】の【請求項１】）
　
ｂ．「被洗濯物に付設されたＩＣタグから当該被洗濯物を特定する被洗濯物特定情報を得る被洗濯物特定手段と、上記被洗濯物特定情報に基づいて少なくとも被洗濯物を構成する生地の種類を含む被洗濯物詳細情報を取得すると共に、当該被洗濯物詳細情報に対応する最適の被洗濯物洗浄方法を決定する洗浄方法決定手段と、被洗濯物を洗浄するための複数の被洗濯物洗浄方法を予め記憶し、その中から上記最適の被洗濯物洗浄方法を選択して実行する洗浄手段とを備える洗濯装置。」（【特許請求の範囲】の【請求項３】）
　
ｃ．「しかし、従来から衣類に付けられているタグには、単に「ドライクリーニング」の指示や、「手押洗い」の指示のみが表示されているのみであって、当該衣類に適する洗浄方法が正確に表示されているものではない。これは、タグに洗浄方法に関する詳細情報を表示することはきわめて困難であることも原因の一つではあるが、そのために、洗濯を行う者が当該衣類に適した洗浄方法を正確に把握することができず、その結果、当該衣類が洗濯後に縮んでしまったり、色落ちしてしまったりする事故が現に発生している。
  そこで、本発明の目的は、生地の種類や染色の方法に対応した当該衣類の最適な洗浄方法を決定し、生地を傷めることなく綺麗に洗浄することができる洗濯方法及び洗濯装置を提供することである。」（段落【０００４】−【０００５】）
　
ｄ．「被洗濯物は、その種類、仕様にかかわらず、当該被洗濯物に最適の被洗濯物洗浄方法により洗浄される。最適の被洗濯物洗浄方法は、洗濯物詳細情報に基づいて決定され、「最適」とは、当該被洗濯物を構成する生地を傷めることのない洗浄方法である。上記洗濯物詳細情報とは、当該被洗濯物を構成する生地の種類、当該被洗濯物の形状、色、染料の種類等である。この情報は、例えば当該被洗濯物のメーカーの協力等により作成され得る。
  したがって、本発明によれば、被洗濯物が特別の洗浄方法により洗濯される必要がある場合であっても、被洗濯物は、その特別の洗浄方法により生地が傷むことなく綺麗に洗濯される。しかも、この洗濯作業は、洗濯を行う者が直接行う必要がなく、自動で行われるという利点がある。」（段落【００１２】−【００１３】）
　
ｅ．「＜第１の実施形態＞
　図１は、本発明の第１の実施形態に係る洗濯方法を実施するための洗濯装置が模式的に示された図である
　この洗濯装置１０は、衣類（被洗濯物）を自動で洗濯する装置である。洗濯装置１０は、洗浄機１１（洗浄手段）と、搬送ロボット１２（被洗濯物特定手段、洗浄方法決定手段及び搬送手段）と、搬送ロボット１２の移動を案内する案内レール部１４と、案内レール部１４に沿って配置されたトレイ１５〜１９とを備えている。本実施形態に係る洗濯装置１０の特徴とするところは、洗濯装置１０が衣類の種類に応じた最適の洗浄方法を選択し、衣類に損傷を与えずに綺麗に洗濯する点である。
　洗濯が必要な衣類２０〜２２は、まず収集トレイ１５に投入される。各衣類２０〜２２には、ＩＣタグ２３〜２５が取り付けられている。各ＩＣタグ２３〜２５は、それぞれ衣類２０〜２２に設けられている。ＩＣタグ２３は、衣類２０を特定する情報（被洗濯物特定情報）を記憶している。この衣類２０の特定情報は、当該衣類２０のメーカーの名前、衣類２０の商品名及び商品番号等を含む。同様に、ＩＣタグ２４、２５は、それぞれ衣類２１、２２を特定する情報（被洗濯物特定情報）を記憶している。これら衣類２１、２２の特定情報は、これら衣類２１、２２のそれぞれのメーカーの名前、商品名及び商品番号を含む。なお、本実施形態では、説明の簡略化のために衣類については３種類のみ開示されているが、衣類の数には何ら制限がなく、各衣類にＩＣタグが設けられている。
  搬送ロボット１２は、各衣類２０〜２２を把持し、後述される要領で上記ＩＣタグ２３〜２５と通信する。これにより、搬送ロボット１２は、後述の要領で衣類２０〜２２に関する詳細情報（被洗濯物詳細情報）を取得する。衣類２０の詳細情報とは、当該衣類２０を構成する生地ないし繊維の種類、当該衣類２０の形状、当該衣類２０の色及び染料の種類等を含む。この衣類２０の詳細情報は、衣類２０が洗濯される際に衣類２０が傷まないような最適の洗浄方法が決定されるための基礎となるものである。同様に、衣類２１、２２の詳細情報とは、それぞれ当該衣類２１、２２を構成する生地ないし繊維の種類、当該衣類２１、２２の形状、当該衣類２１、２２の色及び染料の種類等を含む。この衣類２１、２２の詳細情報は、それぞれ衣類２１、２２が洗濯される際に衣類２１、２２が傷まないような最適の洗浄方法が決定されるための基礎となるものである。」（段落【００１５】−【００１９】）
　
ｆ．「＜第４の実施形態＞
　次に、本発明の第４の実施形態について説明される。
　図８は、本発明の第４の実施形態に係る洗濯方法を実施するための洗濯装置が模式的に示された図である。
　本実施形態に係る洗濯方法が上記第１の実施形態に係る洗濯方法と異なるところは、上記第１の実施形態では、衣類２０〜２２の詳細情報は、搬送ロボット１２のメモリ４０に予め記憶されており、衣類２０〜２２の特定情報に基づいてこの詳細情報がメモリ４０から取得されるように構成されていたのに対し、本実施形態では、衣類２０〜２２の詳細情報は、第三者４５（例えば衣類情報を提供する協会等）が保有するサーバ４６内に記憶されており、洗浄機１１（洗浄方法決定手段）がネットワーク４７（典型的には、インターネット）を介してサーバ４６と通信することによって衣類２０〜２２の詳細情報を取得するようになっている点である。
  図９は、本発明の第４の実施形態に係る洗浄機及び搬送ロボットの構造を模式的に示す図である。
  本実施形態では、洗浄機１１は、前述の洗浄機本体２６及び制御装置１３を備えている。この制御装置１３は、第３通信装置７０と、第４通信装置７１と、ＣＰＵ７２と、メモリ７３とを備えている。この第３通信装置７０は、ネットワーク４７と接続するためのインターフェイス等を備えており、上記サーバ４６と通信する。すなわち、この第３通信装置７０は、上記第３の実施形態に係る搬送ロボット１２に備えられた第３通信装置６１と同様の構成である。また、第４通信装置７１は、上記搬送ロボット１２と通信し、上記搬送ロボット１２から衣類の特定情報を受信する。すなわち、この第４通信装置７１は、上記第３の実施形態に係る搬送ロボット１２に備えられた第４通信装置６２と同様の構成である。この第４通信装置７１と搬送ロボット１２とは、既知の種々の通信方法により通信され得るが、典型的には、Bluetooth、赤外線通信のほか、他の近距離無線通信等が採用され得る。
  メモリ７３は、衣類に関する洗浄方法群のほか、種々のコンピュータプログラムを記憶している。なお、この洗浄方法群については、メモリ７３に記憶されていなくてもよい。すなわち、メモリ７３は、搬送ロボット１２から送信された衣類の特定情報を処理するためのコンピュータプログラムを記憶している。このプログラムは、制御装置１３を、搬送ロボット１２から送信された衣類の特定情報を処理するための手段として機能させる。また、メモリ７３は、第３通信装置７０がネットワーク４７を介して通信するためのコンピュータプログラムを記憶している。このプログラムは、制御装置１３を、第３通信装置７０及びネットワーク４７を介して通信する手段として機能させる。
  メモリ７３は、衣類の詳細情報を取得するためのコンピュータプログラムを記憶している。このプログラムは、制御装置１３を、衣類の詳細情報を取得するための手段として機能させる。また、メモリ７３は、当該詳細情報に基づいて上記洗浄方法群の中から衣類の最適洗浄方法を決定するためのコンピュータプログラムを記憶している。このプログラムは、制御装置１３を、上記詳細情報に基づいて上記洗浄方法群の中から衣類の最適洗浄方法を決定するための手段として機能させる。さらに、メモリ７３は、上記最適洗浄方法を当該洗浄機１１に実行させるためのプログラムを記憶している。このプログラムは、制御装置１３を、当該洗浄機１１に上記最適洗浄方法を実行させるための手段として機能させる。
  一方、第三者４５のサーバ４６は、通信装置４９とＣＰＵ５０とメモリ５１とを備えている。通信装置４９は、洗浄機１１の第３通信装置７０と同様に、ネットワーク４７と接続するためのインターフェイス等を備えており、上記第３通信装置７０と通信することができる。また、メモリ５１は、衣類に関する詳細情報のほか、種々のコンピュータプログラムを記憶している。すなわち、メモリ５１は、通信装置４９がネットワーク４７を介して通信するためのコンピュータプログラムを記憶している。このプログラムは、サーバー４６を、通信装置４９及びネットワーク４７を介して通信するための手段として機能させる。
  したがって、本実施形態に係る洗濯方法では（図３参照）、搬送ロボット１２の第１通信装置３７が衣類２０（２１〜２２）の特定情報を受信した後（ステップ４：第１のステップ）、この特定情報は、第２通信装置３８によって洗浄機１１の第４通信装置７１に送信される。洗浄機１１の第３通信装置７０は、ネットワーク４７を介して上記サーバ４６にアクセスする。具体的には、衣類２０（２１〜２２）の特定情報がサーバ４６に送信され、サーバ４６は、当該衣類２０（２１〜２２）の特定情報に対応する詳細情報を選択する。サーバ４６の通信装置４９は、ネットワーク４７を介して上記詳細情報を洗浄機１１の第３通信装置７０に送信する。洗浄機１１は、この詳細情報に基づいてメモリ７３が記憶している洗浄方法群の中から衣類２０（２１〜２２）の最適洗浄方法を決定する（ステップ５）。この最適洗浄方法は、第４通信装置７１から搬送ロボット１２の第２通信装置３８にフィードバックされるように構成されているのが好ましい。その後の洗濯方法の要領は、上記第１の実施形態と同様である。」（段落【００６２】−【００７１】）
　
ｇ．「＜第５の実施形態＞
　上記第１及び第２の実施形態では、搬送ロボット１２が衣類２０〜２２の特定情報を取得すると共に詳細情報に基づいて最適洗浄方法を決定し、最適洗浄情報を洗浄機１１に送信する機能を備えている。また、上記第３の実施形態では、ホームサーバ６０が上記詳細情報に基づく最適洗浄方法の決定を行う。さらに、上記第４の実施形態では、洗浄機１１が上記詳細情報に基づく最適洗浄方法の決定を行う。
　本実施形態では、洗浄機１１が衣類２０〜２２の特定情報を直接に取得し、この特定情報に基づいて上記詳細情報の取得並びに上記最適洗浄方法の決定が行われる。すなわち、本実施形態では、洗浄機１１は、衣類２０〜２２に付設されたＩＣタグ２３〜２５を読み取るためのリーダーが設けられている。そして、このリーダーがＩＣタグ２３〜２５との間で通信を行い、洗浄機１１が衣類２０〜２２の特定情報を取得する。
　洗浄機１１の制御装置１３のメモリは、衣類２０〜２２の上記詳細情報及び上記洗浄方法群のほか、種々のコンピュータプログラムを記憶している。具体的には、この制御装置１３のメモリは、リーダーに電子タグ２３〜２５との通信を行わしめ、リーダーが上記特定情報を得るためのコンピュータプログラムを記憶している。このプログラムは、上記制御装置１３を、リーダーに電子タグ２３〜２５との通信を行わしめ、リーダーが上記特定情報を得るための手段（被洗濯物特定手段）として機能させる。また、上記制御装置１３のメモリは、、取得された特定情報を処理し、詳細情報を取得するためのコンピュータプログラムを記憶している。このプログラムは、上記制御装置１３を、取得された特定情報を処理し、詳細情報を取得するための手段（洗浄方法決定手段）として機能させる。さらに、上記制御装置１３のメモリは、上記詳細情報に基づいて上記最適洗浄方法を決定するためのコンピュータプログラムを記憶している。このプログラムは、制御装置１３を、上記詳細情報に基づいて上記最適洗浄方法を決定するための手段（洗浄方法決定手段）として機能させる。また、上記制御装置１３のメモリは、上記最適洗浄方法を当該洗浄機１１に実行させるためのプログラムを記憶している。このプログラムは、制御装置１３を、当該洗浄機１１に上記最適洗浄方法を実行させるための手段として機能させる。」（段落【００７２】−【００７５】）
　
　そして，記載ａ〜ｇ及びその図示内容からみて，洗濯装置が「クリーニング工場に設置された」ものであること，及び，被洗濯物である衣類が「クリーニング工場へ搬入された顧客の衣類」であることは，明らかである。
　
　また，記載ｆによると，衣類２０〜２２の詳細情報は，第三者４５（例えば衣類情報を提供する協会等）が保有するサーバ４６内のメモリ５１に記憶されるものであり，また，記載ｇによると，洗浄機１１の制御装置１３のメモリは，衣類２０〜２２の上記詳細情報を記憶するものであることから，洗濯装置の制御装置が，被洗濯物詳細情報を入力する入力手段を有していることは，明らかである。
　
　さらに，記載ｇによると，プログラムは「制御装置１３を、当該洗浄機１１に上記最適洗浄方法を実行させるための手段として機能させる」ためのものであることから，決定された最適洗浄方法を洗濯装置を制御すべく洗濯装置へ出力するための出力手段を有していることは，明らかである。
　
　そこで，主に記載ｇを基にして，上記記載事項及び図示内容を総合すると，引用文献には，次の発明（以下「引用文献記載の発明」という。）が記載されている。
　
　「衣類を洗浄機により洗濯するクリーニング工場に設置された上記洗浄機の制御装置であって，衣類（被洗濯物）のメーカーの協力等により作成された，当該衣類を特定するための特定情報に対応する当該衣類に関する詳細情報を入力する入力手段と，入力された衣類の特定情報及び詳細情報を記憶するメモリと，上記クリーニング工場へ搬入された顧客の衣類に付設されているＩＣタグから当該衣類の特定情報を取得するリーダーと，上記取得された特定情報に対応する詳細情報を上記メモリから取得して，詳細情報に基づいて衣類の最適洗浄方法を決定する洗浄方法決定手段と，上記決定された最適洗浄方法を上記洗浄機を制御すべく当該洗浄機へ出力する出力手段と，を備え，上記詳細情報は，当該衣類の染料の種類，及び当該衣類の各部の寸法を示す情報の少なくとも一方を含むものである洗浄機の制御装置。」
　
４．対比
　
　本願発明と引用文献記載の発明とを対比する。
　
　引用文献記載の発明の「衣類」は，その特定情報や詳細情報をメーカーの協力等により作成することからみて，本願発明の「衣類の販売店で顧客が購入した衣類」に相当し，以下同様に，「洗浄機」は，「洗濯装置」に，「衣類（被洗濯物）のメーカー」は，「販売店で販売される衣類を製造した製造業者」に，「特定情報」は「識別情報」に，「対応する」は「関連付けられた」に，「詳細情報」は「衣類に関する情報」に，「メモリ」は「記憶手段」に，「リーダー」は「取得手段」に，「最適洗浄方法」は「洗濯条件を示す洗濯情報」に，「洗浄方法決定手段」は「生成手段」に，「染料の種類」は「衣類の染色に使用された染料」に，それぞれ相当する。
　
　よって，両者の一致点及び相違点は次のとおりである。
　
［一致点］
　
「衣類の販売店で顧客が購入した衣類を洗濯装置により洗濯するクリーニング工場に設置された上記洗濯装置の制御装置であって、上記販売店で販売される衣類を製造した製造業者によって作成された、当該衣類を識別するための識別情報が関連付けられた当該衣類に関する情報を入力する入力手段と、上記入力された衣類の識別情報及び衣類に関する情報を記憶する記憶手段と、上記クリーニング工場へ搬入された顧客の衣類に付着されているタグから当該衣類の識別情報を取得する取得手段と、上記取得された識別情報に対応する衣類に関する情報を上記記憶手段から読み出して、少なくとも当該衣類に関する情報に基づいて衣類の洗濯条件を示す洗濯情報を生成する生成手段と、上記生成された洗濯情報を上記洗濯装置を制御すべく当該洗濯装置へ出力する出力手段と、を備え、上記衣類に関する情報は、当該衣類の染色に使用された染料を示す情報、及び当該衣類の各部の寸法を示す情報の少なくとも一方を含むものである洗濯装置の制御装置。」
　
［相違点］
　
　衣類の情報を記憶手段から読み出すための衣類の特定情報を有する「タグ」が，本願発明では「表示タグ」であるのに対して，引用文献記載の発明では「ＩＣタグ」である点。
　
５．判断
　
　上記相違点について検討する。
　
　衣類の情報を記憶手段から読み出すための衣類の特定情報を有するタグを，バーコード等を用いた「表示タグ」とすることは，本願出願前周知の技術事項である（例えば，ハッピークリーニング＞お申し込みフロー　大事な洋服のシミ・黄ばみ・汗じみ対策に！，［ｏｎｌｉｎｅ］，２００４年９月８日，株式会社　ハッピー，［平成２１年４月３日検索］，インターネット＜URL：http://web.archive.org/web/20040908102625/www.kyoto-happy.co.jp/09flow.html＞，特開２００２−８５８８６号公報，特開２００７−２０６３９号公報参照。）。
　
　そうしてみると，引用文献記載の発明において，衣類の情報を記憶手段から読み出すための衣類の特定情報を有するタグを「ＩＣタグ」に代えて「表示タグ」とすることは，上記周知の技術事項に倣って，当業者が容易に想到し得たことである。
　
　そして，本願発明の効果も，引用文献記載の発明及び周知の技術事項から当業者が予測し得た程度のものであって，格別なものとはいえない。
　
　したがって，本願発明は，引用文献記載の発明及び周知の技術事項に基づいて，当業者が容易に発明をすることができたものである。　　
　
６．むすび
　
　以上のとおり，本願発明は，引用文献記載の発明及び周知の技術事項に基づいて，当業者が容易に発明をすることができたものであるから，特許法２９条第２項の規定により，特許を受けることができない。
　
　したがって，本願は，他の請求項に係る発明について検討するまでもなく拒絶すべきものである。
　
　よって，結論のとおり審決する。